(57)【要約】【課題】検体の分析作業を行ないながら、表示装置で表示される情報を容易にかつ確実に確認することができるようにする。【解決手段】自動分析装置１の装置本体２には、その構成機構部（検体挿入部３や分析部４ａ，４ｂなど）の配列方向に沿ってレール８が敷設されており、このレール８上を表示装置７が移動可能に取り付けられている。そして、レール８には、表示装置７の現在位置を検出するための位置検出センサ（図示せず）が複数個配列されている。かかる位置検出センサのいずれかで検出された表示装置７の現在位置を示す検出位置情報は制御装置９に供給され、制御装置９では、この検出位置情報に応じた、即ち、表示装置７の現在位置に応じた装置本体２での検体や試薬などの現在の状況を表わす状況情報画面が作成され、表示装置７に供給される。これにより、表示装置７では、その現在位置に応じた現在の状況情報が表示される。【選択図】図１
2010223810.tif 000002
【特許請求の範囲】
【請求項１】
検体及び試薬を分注する機構を備え、該検体と該試薬とを反応させることにより、該検体の分析を行なう自動分析装置であって、
装置本体に設置されている試薬や洗剤などの消耗品及び検体，該装置本体の機構の現在の状況に関する現在の状況情報画面を表示する可動式の表示装置と、
該装置本体に対する該表示装置の現在位置を検出する位置検出センサと、
該表示装置の現在位置に対応した該表示装置に表示すべき現在の状況情報画面を作成する制御装置と
を備え、
位置検出センサで検出された該表示装置の現在位置に応じて該表示装置で表示する現在の状況情報画面を決定付ける手順により、該表示装置の移動に従って、予め前記記憶手段に記憶した現在の状況を示す情報をもとに、該表示装置の現在位置に応じた該現在の状況情報画面を作成し、該表示装置で表示することを特徴とする自動分析装置。
【請求項２】
請求項１に記載の自動分析装置において、
前記表示装置は、前記装置本体に備えられたレールの上を移動でき、該レールに設けられたセンサーにより、前記表示装置の装置本体での現在位置を取得することを特徴とする自動分析装置。
【請求項３】
請求項１に記載の白動分析装置において、
前記表示装置は、前記装置本体に備えられた回転または伸縮，屈折が可能なアーム上に設置されており、該アームのまたは伸縮、屈折を検知するセンサーにより、前記表示装置の前記装置本体での現在位置を取得することを特徴とする自動分析装置。
【請求項４】
請求項１に記載の自動分析装置において、
前記表示装置は、前記制御装置と無線または有線回線で接続されて前記装置本体とは独立に移動可能であり、
前記装置本体の複数の箇所に設けられた接触式または非接触式のセンサのいずれかで前記表示装置を検知することにより、前記表示装置の前記装置本体での現在位置を取得することを特徴とする自動分析装置。
【請求項５】
請求項４に記載の自動分析装置において、
前記装置本体に設けられた前記センサは、非接触式のＩＣタグであることを特徴とする自動分析装置。
【請求項６】
検体及び試薬を分注する機構を備え、該検体と該試薬とを反応させることにより、該検体の分析を行なう自動分析装置であって、
装置本体に設置されている試薬や洗剤などの消耗品及び検体，装置本体の機構の現在の状況を示す情報に関する現在の状況情報画面を表示する表示装置と、
該装置本体またはその周辺に設けられ、分析作業を行なう使用者の現在位置を検出するセンサと、
該使用者の現在位置と該表示装置で表示すべき現在の状況情報画面とを対応づける制御装置と
を備え、
該センサで検出された該使用者の現在位置に応じて該表示装置で表示する現在の状況情報画面を決定付ける手順により、該使用者の移動に従って、予め該制御装置に設定されている現在の状況を示す情報をもとに、該使用者の現在位置に応じた該現在の状況情報画面を作成し、該表示装置で表示することを特徴とする自動分析装置。
【請求項７】
請求項６に記載の自動分析装置において、
前記使用者の現在位置を検出するセンサは、前記装置本体またはその周辺に設置された赤外線センサであることを特徴とする自動分析装置。
【請求項８】
請求項１または６に記載の自動分析装置において、
前記表示装置で表示する前記現在の状況情報画面を決定する手順は、前記表示装置の現在位置と前記の使用者の現在位置とを入力情報とし、前記表示装置と前記使用者との距離に応じて、前記表示装置に表示する前記現在の状況情報画面での文字サイズを決定することを特徴とする自動分析装置。
【請求項９】
請求項１または６に記載の自動分析装置であって、
分析が終了した前記検体を搬出位置に搬送する手段を有し、
前記表示装置は、前記現在の状況情報画面として、該搬出位置に搬送された前記検体の分析状況の一覧を表わす現在の検査済み検体一覧表示画面を表示する機能を有し、
前記表示装置で表示する現在の状況情報画面を決定付ける手順は、前記表示装置または前記使用者が該搬出位置付近に移動すると、前記表示装置が該現在の検査済み検体一覧表示画面を表示することを特徴とする自動分析装置。
【請求項１０】
請求項１または６に記載の自動分析装置において、
前記検体の分祈に使用する試薬の設置手段を備え、
前記表示装置は、該試薬の設置手段に設置されている試薬の現在の状況の一覧画面を表示する機能を有し、
前記表示装置で表示する現在の状況情報画面を決定付ける手順は、前記表示装置または前記使用者が該試薬の設置位置付近に移動すると、前記表示装置が該試薬の現在の状況の一覧を表わす現在の試薬−覧表示画面を表示することを特徴とする自動分析装置。
【請求項１１】
請求項１または６に記載の自動分析装置において、
前記装置本体に分析を開始する前記検体を設置する検体の設置手段を有し、
前記表示装置は、該検体の設置手段に設置された該検体に対して分析を指示する操作画面を表示する機能を有し、
前記表示装置または前記使用者が該検体の設置手段付近に移動すると、前記表示装置が該検体の分析の指示するための操作画面を表示することを特徴とする自動分析装置。
【請求項１２】
請求項１または６に記載の自動分析装置において、
前記装置本体の各機構部を微調整する手段を備え、
前記表示装置は、該各部の微調整操作を行なうための操作画面を表示する機能を有し、
前記表示装置で表示する現在の状況情報画面を決定付ける前記手順は、所望の該機構部の調整時、前記表示装置または前記使用者が調整する該機構部の付近に移動すると、該機構部の調整のための操作画面を決定するものであることを特徴とする自動分析装置。
【請求項１３】
請求項１に記載の自動分析装置において、
前記表示装置は、機械的なボタンまたは表示画面に表示されるタッチボタンを備え、
前記表示装置の現在位置に応じて前記表示装置に表示する情報画面を決定する手順では、該機械的なボタンまたは該タッチボタンが押された状態であれば、前記表示装置の位置にかかわらず、前記表示装置に表示する画面をこれまで表示されていた画面に保持することを特徴とする自動分祈装置。
【発明の詳細な説明】
【技術分野】
【０００１】
本発明は、検体及び試薬を分注する機構を備え、検体に試薬を反応させることにより、検体の分析を行なう自動分析装置に係り、特に、この装置に収納されている試薬や洗剤などの消耗品に関する情報、及び検体やこの装置の機構に関する情報を表示する手段を備えた自動分析装置に関する。
【背景技術】
【０００２】
自動分析装置は、分析対象である検体及び試薬を分注する機構を備え、検体に試薬を反応させることにより、検体の分析を行なう装置であり、多くの医療機関などで用いられている。しかし、現在の自動分析装置は、完全には自動化されておらず、試薬や洗剤などの消耗品を補充したり、分析する検体を入れた試験管をラックと呼ばれる容器に架設して自動分析装置に設置したりする作業や、異常な分析結果を示した検体を再度分析するために必要な作業は検査技師が行なう必要がある。このような検体の設置や試薬の補充などの作業は、うっかりして検体の取り違いなどのミスがあると、医療事故にもつながる可能性があり、慎重な作業が必要である。
【０００３】
検査技師の作業を支援し、作業ミスを減らすために、多くの自動分析装置には、これに設置されている試薬や検体など現在の状況（装置の現在状況）を表示する表示装置が設けられているが、その一例として、分析すべき試料、即ち、検体に関する装置の現在の状況を表示するようにした自動分析装置が提案されている（例えば、特許文献１参照）。
【０００４】
この特許文献１に記載の自動分析装置では、円盤状の回転テーブルに、検体が入った複数のサンプル容器を収納したラックが複数搭載され、所定のサンプル容器内の所望とする検体を分注して試薬が入っている反応容器内の注入し、これら試薬と検体とを反応させることにより、検体を分析するものであるが、表示装置において、上記の回転テーブルの画像がこれに搭載されているラックとともに表示し、かつ、この回転テーブルから取り出すことができるラック（収納されている全てのサンプル容器の検体の分析が終了しているラック）を表示するとともに、これら取り出すことができるラックでの夫々のサンプル容器毎の分析状況（再分析要など）を示す情報も表示される。
【０００５】
また、他の例としては、依頼元への検査報告の可否を判断するための分析結果を表示したり、検査者の何らかの対応が必要な検査の情報を表示したりする技術も提案されている（例えば、特許文献２参照）。
【０００６】
このように、自動分析装置はさまざまな画面を表示する機能を備えており、検査技師は、表示装置に表示されるメニューやタブなどを操作して、自分が行なう作業に必要な情報の画面が表示されるようにする。
【先行技術文献】
【特許文献】
【０００７】
【特許文献１】特許第３０２９３３０号公報
【特許文献２】特開２００３ー３２９６９０号公報
【発明の概要】
【発明が解決しようとする課題】
【０００８】
ところで、自動分析装置は、その筐体が大きい大型の装置であって、この自動分析装置で実際に作業を行なう場所によっては、その場所と表示装置が設置されている場所とが距離的に大きく離れている場合がある。例えば、比較的大規模な病院で用いられる毎時２０００項目程度の測定を行なうことができる大型の自動分析装置では、その筐体の幅が２．７ｍにもなり、また、実際の運用においては、このような大型の自動分析装置が複数台設置されるものであり、表示装置と自動分析装置での作業場所とはかなり大きな距離があることになる。
【０００９】
このため、かかる作業を確実に行なうためには、一旦表示装置に表示されるこの作業に必要な情報をメモ用紙などに記入し、それを作業場所に持っていき、その記入された内容をもとに実際の作業を行なう、といった余分な手順を経て作業を行なう必要があった。また、表示装置に表示された情報を書き写すということは、実際の作業をする上に余分な手順であるばかりでなく、かき間違い等によって実際の作業にミスが発生する原因となる可能性もあり、必要がなければ、かかる手順を回避することが望ましい。
【００１０】
本発明の目的は、かかる問題を解消し、検体の分析作業を行ないながら、表示装置で表示される情報を容易にかつ確実に確認することができるようにした自動分析装置を提供することにある。
【００１１】
また、従来の自動分析装置では、表示装置で実際の作業の内容に応じた必要な情報を表示させるためには、表示されるメニューやタブを操作するなどして表示画面を切り替える操作を行なうことが必要であり、このような煩雑で手間のかかる画面操作が必要となる。
【００１２】
本発明の他の目的は、さらに、表示装置での操作の手間を効果的に低減できるようにした自動分析装置を提供することにある。
【課題を解決するための手段】
【００１３】
上記目的を達成するために、本発明は、検体及び試薬を分注する機構を備え、検体と試薬とを反応させることにより、検体の分析を行なう自動分析装置であって、装置本体に設置されている試薬や洗剤などの消耗品及び検体，装置本体の機構の現在の状況に関する現在の状況情報画面を表示する可動式の表示装置と、装置本体に対する表示装置の現在位置を検出する位置検出センサと、
表示装置の現在位置に対応した表示装置に表示すべき現在の状況情報画面を作成する制御装置とを備え、位置検出センサで検出された表示装置の現在位置に応じて表示装置で表示する現在の状況情報画面を決定付ける手順により、表示装置の移動に従って、予め記憶手段に記憶した現在の状況を示す情報をもとに、表示装置の現在位置に応じた現在の状況情報画面を作成し、表示装置で表示することを特徴とする。
【００１４】
また、本発明は、表示装置が、装置本体に備えられたレールの上を移動でき、レールに設けられたセンサーにより、表示装置の装置本体での現在位置を取得することを特徴とする。
【００１５】
さらに、本発明は、表示装置が、装置本体に備えられた回転または伸縮，屈折が可能なアーム上に設置されており、アームのまたは伸縮、屈折を検知するセンサにより、表示装置の装置本体での現在位置を取得することを特徴とする。
【００１６】
さらに、本発明は、表示装置が、制御装置と無線または有線回線で接続されて装置本体とは独立に移動可能であり、装置本体の複数の箇所に設けられた接触式または非接触式のセンサのいずれかで表示装置を検知することにより、表示装置の装置本体での現在位置を取得することを特徴とする。
【００１７】
さらに、本発明は、装置本体に設けられたセンサが、非接触式のＩＣタグであることを特徴とする。
【００１８】
上記目的を達成するために、本発明は、検体及び試薬を分注する機構を備え、検体と試薬とを反応させることにより、検体の分析を行なう自動分析装置であって、装置本体に設置されている試薬や洗剤などの消耗品及び検体，装置本体の機構の現在の状況を示す情報に関する現在の状況情報画面を表示する表示装置と、装置本体またはその周辺に設けられ、分析作業を行なう使用者の現在位置を検出するセンサと、使用者の現在位置と表示装置で表示すべき現在の状況情報画面とを対応づける制御装置とを備え、センサで検出された使用者の現在位置に応じて表示装置で表示する現在の状況情報画面を決定付ける手順により、使用者の移動に従って、予め制御装置に設定されている現在の状況を示す情報をもとに、使用者の現在位置に応じた現在の状況情報画面を作成し、表示装置で表示することを特徴とする。
【００１９】
また、本発明は、使用者の現在位置を検出するセンサが、装置本体またはその周辺に設置された赤外線センサであることを特徴とする。
【００２０】
さらに、本発明は、表示装置で表示する現在の状況情報画面を決定する手順が、表示装置の現在位置との使用者の現在位置とを入力情報とし、表示装置と使用者との距離に応じて、表示装置に表示する現在の状況情報画面での文字サイズを決定することを特徴とする。
【００２１】
さらに、本発明は、分析が終了した検体を搬出位置に搬送する手段を有し、表示装置が、現在の状況情報画面として、搬出位置に搬送された検体の分析状況の一覧を表わす現在の検査済み検体一覧表示画面を表示する機能を有し、表示装置で表示する現在の状況情報画面を決定付ける手順が、表示装置または使用者が搬出位置付近に移動すると、表示装置が現在の検査済み検体一覧表示画面を表示することを特徴とする。
【００２２】
さらに、本発明は、検体の分祈に使用する試薬の設置手段を備え、表示装置が、試薬の設置手段に設置されている試薬の現在の状況の一覧画面を表示する機能を有し、表示装置で表示する現在の状況情報画面を決定付ける手順が、表示装置または使用者が試薬の設置位置付近に移動すると、表示装置が試薬の現在の状況の一覧を表わす現在の試薬−覧表示画面を表示することを特徴とする。
【００２３】
さらに、本発明は、装置本体に分析を開始する検体を設置する検体の設置手段を有し、表示装置が、検体の設置手段に設置された検体に対して分析を指示する操作画面を表示する機能を有し、表示装置または使用者が検体の設置手段付近に移動すると、表示装置が検体の分析の指示するための操作画面を表示することを特徴とする。
【００２４】
さらに、本発明は、装置本体の各機構部を微調整する手段を備え、表示装置が、各部の微調整操作を行なうための操作画面を表示する機能を有し、表示装置で表示する現在の状況情報画面を決定付ける手順が、所望の機構部の調整時、表示装置または使用者が調整する機構部の付近に移動すると、機構部の調整のための操作画面を決定するものであることを特徴とする。
【００２５】
さらに、本発明は、表示装置が、機械的なボタンまたは表示画面に表示されるタッチボタンを備え、表示装置の現在位置に応じて表示装置に表示する情報画面を決定する手順では、機械的なボタンまたはタッチボタンが押された状態であれば、表示装置の位置にかかわらず、表示装置に表示する画面をこれまで表示されていた画面に保持することを特徴とすることを特徴とする。
【発明の効果】
【００２６】
本発明によると、自動分析装置の使用者は、試薬などの消耗品を補充したり、異常な分析結果を示した検体を再分析したりといった作業を行なう際に、表示装置をその作業場所の付近に移動させたり、表示装置の表示画面をその作業場所の方向に向けたりすることができ、この表示装置の表示内容を容易にかつ正確に確認できる状態で作業を行なうことができるものであって、このため、医療事故につながる作業ミスを減らすことができる。
【００２７】
また、表示装置を移動させたり、その表示画面の向きを変えたりすることにより、この表示装置に作業に関連する情報が表示されるため、使用者は表示される画面の切り替え操作を行なう必要がなく、使用者の作業負担を軽減することができる。
【図面の簡単な説明】
【００２８】
【図１】本発明による自動分析装置の第１の実施形態を示す構成図である。
【図２】図１における表示装置の端子部とレールとそれらの接続関係との一具体例を示す図である。
【図３】図１に示す第１の実施形態での位置検出センサの配置の一具体例を示す図である。
【図４】図１における制御装置の一具体例の概略構成を示すブロック図である。
【図５】図４におけるメモリ部９ｄの一具体例を示す構成図である。
【図６】図４におけるメモリ部９ｅの一具体例を示す構成図である。
【図７】図４での制御部９ａによるメモリ部９ｅからの関数の読み取り処理の一具体例を示すフローチャートである。
【図８】本発明による自動分析装置の第２の実施形態を示す要部構成図である。
【図９】本発明による自動分析装置の第３の実施形態を示す要部構成図である。
【図１０】本発明による自動分析装置の第４の実施形態を示す要部構成図である。
【図１１】図１０に示す第４の実施形態での表示装置と検査技師との間の距離に応じて表示装置で表示される文字サイズの変更処理の一具体例を示すフローチャートである。
【発明を実施するための形態】
【００２９】
本発明は、分析作業を行ないながら、表示装置に表示される情報を容易に、かつ確実に観ることができるようにするために、この表示装置を移動可能とするものであり、自動分析装置及び表示装置の大きさに応じて表示装置の移動方式を異ならせるものである。
【００３０】
その一実施形態としては、自動分析装置の筐体にレールを設け、このレールに沿って表示装置を移動可能とするものである。この方式は、検査技師などの使用者が作業するために移動する範囲が大きい大型の自動分析装置に大画面の表示装置を用いる場合に好適である。他の実施形態としては、自動分析装置の筐体に回転式のアームを設け、これに表示装置を設置してその表示画面の向きを変更できるようにするものである。この方式は、検査技師が作業するのに移動する範囲がそれほど大きくない中型の自動分析装置に大画面の表示装置を用いるのに適している。さらに、他の実施形態としては、自動分析装置の筐体とは独立な表示装置を用い、この表示装置と自動分析装置の制御部との間を無線または有線で通信できるようにするものである。この方式は、検査技師が持ち運びできる程度の小型，軽量の表示装置を用いる場合に適している。
【００３１】
以下、本発明のかかる実施形態を図面により説明する。
【００３２】
図１は本発明による自動分析装置の第１の実施形態を示す構成図であって、１は自動分析装置、２は装置本体、３は検体挿入部、４ａ，４ｂは分析部、５は検体排出部、６ａ，６ｂは試薬設定部、７は表示装置、８はレール、９は制御装置、１０は通信／電源線路、１１は通信線路である。
【００３３】
この第１の実施形態は、検査技師などの使用者が作業するために大きな移動範囲が必要な大型の自動分析装置に大画面の表示装置を用いる場合のものである。
【００３４】
同図において、この実施形態の自動分析装置１は、検体挿入部３や分析部４ａ，４ｂ、検体排出部５、試薬設定部６ａ，６ｂなどの機構部からなる装置本体２と、表示装置７と、コンピュータからなる制御装置９とから構成されている。検体が注入されているサンプル容器が挿入されたラックが検体挿入部３内に挿入されてテーブルに取り付けられ、かかるテーブルが移動することにより、分析部４ａ，４ｂにおいて、所定のサンプル容器の検体が分注されて試薬設定部６ａ，６ｂで分注された試薬と反応させられて分析が行なわれ、分析済みの検体が検体排出部５から排出される。
【００３５】
ここでは、装置本体２は検体挿入部３と２台の分析部４ａ，４ｂと検体排出部５などが一列に配列された構成をなし、この装置本体２の上面には、この装置本体２の図面上手前側の面（前面）側でその前面側の辺部に沿って導電材からなるレール８が設けられており、このレール８上を移動可能に、表示装置７が設けられている。この表示装置７は、使用者がそれを手で押すことにより、レール８上を図面上左右方向に移動することができる。
【００３６】
制御装置９は、通信／電源線路１０を介して、レール８に接続されており、表示装置７にその駆動に必要な電流（駆動電流）を供給するとともに、表示装置７の装置本体２上での位置に応じた検体や試薬などの現在の状況を表わす情報の画面信号（カラー画面を表わすＲＧＢ信号：なお、以下では、これを「現在の状況情報画面」ということにする）を表示装置７に供給する。このため、レール８には、後述するように、表示装置７の現在位置を検知するセンサ（位置検出センサ）が設けられており、この位置検出センサによる検出位置情報がレール８と通信／電源線路１０とを介して制御装置９に供給される。制御装置９は、取得したこの検出位置情報に応じた表示のための情報信号を通信／電源線路１０とレール８とを介して表示装置７に供給する。これにより、表示装置７では、装置本体２でのその現在位置に応じた現在の状況を示す情報を表示する。
【００３７】
また、装置本体２と制御装置９とが通信線路１０を介して接続されており、制御装置９は、装置本体２で検出される各試薬や洗剤などの消耗品（以下では、消耗品としては、その代表として、試薬について説明する）の現在の状況を示す情報や各検体の現在の状況（未検査，検査済み）を示す情報，分析部４ａ，４ｂの現在の運転状況を示す情報，検査結果を示す情報など（以下、検査情報と総称する）を通信線１１を介して取得する。そして、制御装置９は、これらの取得した検査情報をその種類や表示装置７の装置本体２での位置毎に区分して保持する。通信／電源線路１０を介してレール８の位置検出センサから検出位置情報が供給されると、制御装置９はこの検出位置情報が示す表示装置７の現在位置に該当する種類，位置区分の検査情報を用いてこの現在位置の機構部に関連する現在の状況情報画面を生成し、通信／電源線路１０及びレール８を介して表示装置７に供給される。これにより、表示装置７では、その現在位置の機構部での確認すべき現在の状況情報画面が表示される。
【００３８】
そこで、検体の分析作業で使用者が装置本体２の前を移動するとき、これとともに、使用者が表示装置７をその移動方向に押すことにより、表示装置７はその押される方向にレール８上を移動する。これにより、使用者は、常に表示装置７を自分の近くに置くことができ、その表示画面を近くで観ることができて、その表示内容を容易にかつ正確に確認することができる。
【００３９】
また、表示装置７では、制御装置９の制御により、レール７上（従って、装置本体２上）の現在位置に応じて、その表示内容が切り替えられる。例えば、表示装置７が検体挿入部３の近くの矢印Ａで示す位置にあるときには、現在未測定の検体に関する現在の状況情報画面がこの表示装置７で表示され、表示装置７が試薬処理部６ａ，６ｂの近くの矢印Ｂで示す位置にあるときには、試薬に関する現在の状況情報画面がこの表示装置７で表示され、表示装置７が検体排出部５の近くの矢印Ｃで示す位置にあるときには、現在測定済みの検体に関する現在の状況情報画面がこの表示装置７で表示される。
【００４０】
そこで、検体挿入部３で検体の挿入のための作業を行なう場合、使用者がこの検体挿入部３へ移動するとともに、表示装置７を矢印Ａで示す位置に移動させると、現在の状況情報画面として、自動的に検体に関する現在の未測定状況情報の画面が表示装置７で表示されることになり、これにより、新たな検体の挿入作業が支援されることになる。また、試薬処理部６ａ，６ｂで試薬の処理作業を行なう場合、使用者がこの試薬処理部６ａまたは６ｂへ移動するとともに、表示装置７を矢印Ｂで示す位置に移動させると、現在の状況情報画面として、自動的に試薬に関する現在の状況情報画面が表示装置７で表示されることになり、これにより、試薬の処理作業が支援されることになる。さらに、検体排出部５で検体の排出のための作業を行なう場合、使用者がこの検体排出部５へ移動するとともに、表示装置７を矢印Ｃで示す位置に移動させると、現在の状況情報画面として、自動的に検体に関する現在の検査済み状況情報の画面が表示装置７で表示されることになり、これにより、試薬の処理作業が支援されることになる。
【００４１】
なお、ここでは、検体挿入部３で挿入された検体は、分析部４ａに移動して試薬処理部６ａでの試薬を用いて分析処理され、あるいは分析部４ｂに移動して試薬処理部６ｂでの試薬を用いて分析処理され、その分析（測定）結果が通信路１１を介して制御装置９に供給されるが、このように分析処理された検体は検体排出部５に移動して排出される。しかし、このように分析処理された検体は、検体挿入部３に戻って、そこから排出されるようにしてもよい。この場合、この検体挿入部（このときには、検体挿入／排出部）３の近くの２か所のうちの一方で表示装置７が現在の未測定の検体の状況情報画面を自動的に表示し、他方で表示装置７が現在の測定済みの検体の状況情報画面を自動的に表示するようにする。
【００４２】
このために、例えば、検体挿入部（検体挿入／排出部）３の上面側から検体の挿入を行ない、検体挿入部（検体挿入／排出部）３の前面側から検体の排出を行なうようにし、かつレール８は検体挿入部（検体挿入／排出部）３の上面まで続いており、検体挿入部（検体挿入／排出部）３で検体の挿入作業を行なう場合には、表示装置７を矢印Ａで示す位置に移動させると、上記のように、表示装置７が現在の未測定（未分析）の検体の状況情報画面を自動的に表示し、検体挿入部（検体挿入／排出部）３で測定済みの検体の排出作業を行なう場合には、表示装置７を検体挿入部（検体挿入／排出部）３の上面まで移動させることにより、表示装置７が現在の測定済みの検体の状況情報画面を自動的に表示する。なお、検体挿入部（検体挿入／排出部）３の前面側から検体の挿入を行ない、検体挿入部（検体挿入／排出部）３の上面側から検体の排出を行なうようにしてもよく、この場合には、表示装置７の位置は上記とは逆になる。
【００４３】
このようにして、この第１の実施形態では、表示装置７を使用者が作業をする場所の近くに置くことができ、しかも、この作業に必要な現在の状況情報画面がこの表示装置７に自動的に表示されることになり、使用者の操作の手間を省いて必要な現在の状況情報画面が表示されることになる。
【００４４】
図２は図１における表示装置７の端子部とレール８とそれらの接続関係との一具体例を示す図であって、同図（ａ）は正面図、同図（ｂ）は側面図、同図（ｃ）はレール８の横断面図、同図（ｄ）は端子部の拡大図であり、７ａは前面、７ｂは背面、７ｃは側面、７ｄは底面、８ａ，８ｂはガイド部、８ｃは底部、１２は表示画面、１３は車輪、１４は端子部、１４ａは電源端子部、１４ｂは情報信号端子部である。なお、図１に対応する部分には同一符号を付けて重複する説明は省略する。
【００４５】
図２（ｃ）に示すように、レール８は、その長手方向両側部が凸状のガイド部８ａ，８ｂをなしており、これらガイド部８ａ，８ｂ間が平坦な表面の底部８ｃをなしている。
【００４６】
表示装置７には、図２（ａ），（ｂ）に示すように、表示画面１２が設けられている前面７ａ側とその反対側の背面７ｂ側とに車輪１３が設けられており、これら車輪１３がレール８のガイド部８ａ，８ｂ間に嵌まり込むようにして、表示装置７がレール８に移動可能に取り付けられている。
【００４７】
また、表示装置７の底面７ｄには、この表示装置７の内部回路（電源回路や処理回路など）に接続された端子部１４が設けられており、その先端部がレール８の底面８ｃに接触している。ここで、端子部１４は、図２（ｄ）に示すように、制御装置９（図１）からの駆動電流（電源電圧）を表示装置７が取り込むための、例えば、２つの端子からなる電源端子部１４ａと、制御装置９（図１）からの上記の現在の状況情報画面を表示装置７が取り込むための、例えば、１５本の端子からなる情報信号端子部１４ｂとから構成されており、これらの端子の先端部がレール８の底面７ｄに接触している。なお、ここでは図示しないが、レール８に設けられている上記の位置検出センサからの検出位置情報を制御装置９に供給するための端子もレール８に接続されており、この検出位置情報がレール８，通信／電源線路１０を介して制御装置９に供給される。
【００４８】
これにより、制御装置９からの駆動電流がレール８を経て電源端子部１４ａから表示装置７に取り込まれると、表示装置７は起動し、また、これとともに、この表示装置７の現在位置を表わす位置検出センサの検出位置情報がレール８を経て制御装置９に供給され、制御装置９からのこの表示装置７の現在位置に該当する現在の状況情報画面がレール８を経て情報信号端子部１４ｂで表示装置７に取り込まれ、この表示装置７でこの現在の状況情報画面が表示される。使用者による表示装置７の移動とともに、表示装置７の現在位置が変化させられると、これに応じて表示装置７で表示される現在の状況情報画面も新たな現在位置に該当する現在の状況情報画面に変更される。
【００４９】
図３は図１に示す第１の実施形態での位置検出センサの配置の一具体例を示す図であって、同図（ａ）は正面図、同図（ｂ）は側面図、同図（ｃ）は表示装置７に対する位置検出センサの配置関係を示す図、同図（ｃ）は各位置検出センサのＩＤに関する図であり、１５は位置検出センサ、１５ａは発光部、１５ｂは受光部であり、前出図面に対応する部分には同一符号をつけて重複する説明を省略する。
【００５０】
図３（ａ），（ｂ）において、位置検出センサ１５としては、例えば、透過型のフォトインタラプタが用いられ、その発光部１５ａがレール８の一方のガイド部８ａの頂面に、その受光部１５ｂがレール８の他方のガイド部８ｂの頂面に、夫々が対向して配置されている。従って、発光部１５ａで発光される光線が受光部１５ｂで受光されるが、表示装置７がレール８に沿って移動して発光部１５ａと受光部１５ｂとの間に入ると、発光部１５ａからの光線がこの表示装置７によって遮光され、受光部１５ｂは光線を受光しない。
【００５１】
この位置検出センサ１５は、表示装置７が発光部１５ａと受光部１５ｂとの間から外れて、受光部１５ｂが発光部１５ａからの光線を受光するときには、表示装置７を検出していないことを示すフラグ“０”の検出位置情報を発生し、表示装置７が発光部１５ａと受光部１５ｂとの間にあって、受光部１５ｂが発光部１５ａからの光線を受光しないときには、表示装置７を検出することを示すフラグ“１”の検出位置情報を発生する。なお、以下では、フラグ“０”の検出位置情報を“０”の検出位置情報といい、フラグ“１”の検出位置情報を“１”の検出位置情報という。
【００５２】
かかる位置検出センサ１５が複数個、図３（ｃ）に示すように、レール８全体にわたって、表示装置７の幅（レール８に沿う長さ）Ｗにほぼ等しい間隔ｄで配置されており、これら位置検出センサ１５のうちのいずれか１つの、また、１つのみの検出位置情報が必ず“１”であって、表示装置７を検出しているようにしている。また、これら位置検出センサ１５には夫々、ＩＤ（識別子）が割り当てられている。そして、これら位置検出センサは、常時もしくは所定の時間間隔（周期）でＩＤに上記の“１”または“０”の検出位置情報にこのＩＤを付加し、レール８及び通信／電源線路１０を介して制御装置９に供給する。
【００５３】
これらＩＤと検出位置情報とをもとに、制御装置９はいずれの位置検出センサ１５が表示装置７を検出しているかを判定し、これによって表示装置７の現在位置を検出するものであるが、必ず位置検出センサ１５のいずれか１つが表示装置７を検出するように、位置検出センサ１５が配置されていることから、図３（ｄ）に示すように、表示装置７の移動可能範囲を現在の状況情報画面を表示すべき領域Ｐ1，Ｐ2，Ｐ3，……に区分し、同じ領域に設置されている複数の位置検出センサ１５には、同じＩＤを割り当てるようにしている。
【００５４】
かかる領域Ｐ1，Ｐ2，Ｐ3，……夫々を図１に示す表示装置７の位置と対応させると、表示装置７が領域Ｐ1にあるときには、この領域Ｐ1での複数（ここでは、３個）の位置検出センサ１５のいずれか１つが表示装置７を検出しており、これにより、表示装置７が領域Ｐ1にあることが検出されることになり、表示装置７に所定の現在の状況情報画面（例えば、現在の未測定（未分析）の検体の状況情報画面）が表示される。このように、表示装置７が領域Ｐ1にあることがこの領域Ｐ1内の複数の位置検出センサ１５のいずれかによって検出されるようにしており、このため、この領域Ｐ1内の複数の位置検出センサ１５には、この領域Ｐ1に該当する同じＩＤが割り当てられている。
【００５５】
同様にして、領域Ｐ2についても、そこでの複数の位置検出センサ１５にこの領域Ｐ2に該当する同じＩＤが割り当てられ、領域Ｐ3についても、そこでの複数の位置検出センサ１５にこの領域Ｐ3に該当する同じＩＤが割り当てられ、さらに他の領域についても、そこでの複数の位置検出センサ１５にその領域に該当する同じＩＤが割り当てられる。もちろん、領域Ｐ1，Ｐ2，Ｐ3，……間では、位置検出センサ１５に割り当てられるＩＤは異なるものである。従って、常にいずれか１つの位置検出センサ１５が表示装置７を検出しているとともに、この表示装置７がいずれの領域にあってどのような現在の状況情報画面を表示させなければならないかを制御装置９は確実に判定できることになる。
【００５６】
これら位置検出センサ１５は制御装置９によって順番に、かつ繰り返し指定され、これにより、指定された位置検出センサからその時の（現在の）検出位置情報が出力されて、レール８及び通信／電源線路１０（図１）を介して制御装置９に読み取られる。
【００５７】
なお、位置検出センサ１５としては、反射型のフォトインタラプタなどの他の方式のものであってもよい。このような反射型の場合には、受光部が反射光線を受光したとき、表示装置７の位置を検出したものとし（フラグ＝“１”）、受光部が反射光線を受光しないとき、表示装置７を検出しないものとする（フラグ＝“０”）。
【００５８】
図４は図１における制御装置９の一具体例の概略構成を示すブロック図であって、９ａは制御部、９ｂは通信部、９ｃは演算部、９ｄ，９ｅはメモリ部、９ｆはデータベースである。
【００５９】
同図において、制御装置９は、装置本体２（図１）との通信を行なう通信部９ｂと、表示装置７（図１）に供給する現在の状況情報画面を作成する演算部９ｃと、位置検出センサ１５（図３）からの検出位置情報を格納するメモリ部９ｄと、各種の現在の状況情報画面を作成するための関数（プログラム）が格納されたメモリ部９ｅと、装置本体２での検体や試薬などの現在の状況を示す検査情報を格納するデータベース９ｆと、これら各部を制御する制御部９ａとを備えている。
【００６０】
装置本体２からの検体や試薬などに関する検査情報は、通信線路１１（図１）を介して通信部９ｂで取り込まれ、制御部９ａの制御のもとに、その種類や表示装置７の装置本体２での位置毎に区分されてデータベース９ｆに格納される。また、各位置検出センサ１５から順に供給される“１”または“０”の検出位置情報は通信部９ｂで取り込まれ、制御部９ａの制御のもとに、メモリ部９ｄに格納される。さらに、制御部９ａの制御のもとに、メモリ部９ｄに格納されている“１”の検出位置情報に該当する関数（プログラム）が演算部９ｃに取り込まれ、また、これとともに、この関数の処理対象となる検査情報がデータベース９ｆから演算部９ｃに取り込まれ、表示装置７の現在位置に該当する現在の状況情報画面が作成される。この作成された現在の状況情報画面は、制御部９ａの制御のもとに、通信部９ｂから通信／電源線路１０，レール８を介して送信装置７に送信される。
【００６１】
図５は位置検出センサ１５と図４におけるメモリ部９ｄとの関係を示す図であって、９ｄ1，９ｄ2，９ｄ3，……，９ｄnはメモリ領域、Ｄ11，Ｄ21，……，Ｄn1は位置検出センサのＩＤ、Ｄ12，Ｄ22，……，Ｄn2はメモリ部９ｄでのアドレスである。
【００６２】
図３（ｄ）で説明したように、レール８に沿う領域Ｐ1，Ｐ2，Ｐ3，……毎に位置検出センサ１５に割り当てられるＩＤは異なるものであり、同じ領域Ｐでの位置検出センサ１５には、同じＩＤが割り当てられている。
【００６３】
図５において、位置検出センサ１５に対してｎ個の領域Ｐが設定されるものとすると、領域Ｐ1の位置検出センサ１５に割り当てられるＩＤをＤ11とし、領域Ｐ2の位置検出センサ１５に割り当てられるＩＤをＤ21とし、領域Ｐ3の位置検出センサ１５に割り当てられるＩＤをＤ31とし、……、領域Ｐnの位置検出センサ１５に割り当てられるＩＤをＤn1とする。
【００６４】
また、制御装置９でのメモリ部９ｄでは、位置検出センサ１５のｎ個の領域Ｐに対応してｎ個のメモリ領域９ｄ1，９ｄ2，９ｄ3，……，９ｄnが設定されており、位置検出センサ１５の領域Ｐ1に対応するメモリ領域９ｄ1には、アドレスＤ12が割り当てられている。以下同様にして、位置検出センサ１５の領域Ｐ2，Ｐ3，……，Ｐnに対応する夫々のメモリ領域９ｄ2，９ｄ3，……，９ｄnには夫々、アドレスＤ22，Ｄ32，……，Ｄn2が割り当てられている。
【００６５】
そして、制御装置９は、制御部９ａの制御のもとに、上記のように、夫々の位置検出センサ１５を順番に、かつ繰り返し指定してその検出位置情報の読み取りを行なうが、領域Ｐ1の位置検出センサ１５の検出位置情報の読み取りが行なわれて、メモリ部９ｄのこの領域Ｐ1に該当するアドレスＤ12のメモリ領域９ｄ1に書き込まれる。この領域Ｐ1でのいずれの位置検出センサ１５からの検出位置情報も、これに該当する同じアドレスＤ12のメモリ領域９ｄ1に書き込まれることになる。従って、このアドレスＤ12のメモリ領域９ｄ1に格納された検出位置情報が“０”である場合には、この領域Ｐ1内のいずれの位置検出センサ１５も表示装置７を検出しておらず、この領域Ｐ1に表示装置７が存在しないことになる。また、このアドレスＤ12のメモリ領域９ｄ1に格納された検出位置情報が“１”である場合には、この領域Ｐ1内のいずれかの位置検出センサ１５が表示装置７を検出したことになり、この領域Ｐ1内に表示装置７が存在していることを判定可能となる。
【００６６】
こうようにして、領域Ｐ2の位置検出センサ１５の検出位置情報の読み取りが行なわれると、その検出位置情報がメモリ部９ｄのこの領域Ｐ2に該当するアドレスＤ22のメモリ領域９ｄ2に書き込まれ、領域Ｐ3の位置検出センサ１５の検出位置情報の読み取りが行なわれると、その検出位置情報がメモリ部９ｄのこの領域Ｐ3に該当するアドレスＤ32のメモリ領域９ｄ3に書き込まれ、……、領域Ｐnの位置検出センサ１５の検出位置情報の読み取りが行なわれると、その検出位置情報がメモリ部９ｄのこの領域Ｐnに該当するアドレスＤn2のメモリ領域９ｄnに書き込まれる。
【００６７】
このように、位置検出センサ１５からの検出位置情報の読み取りが順番に行なわれるとともに、メモリ部９ｄの該当するアドレスのメモリ領域に格納されることになり、この場合、必ずいずれか１つの位置検出センサ１５によって表示装置７が検出されているものであるから、メモリ部９ｄのメモリ領域のうちの必ず１つのメモリ領域では、“１”の検出位置情報が格納され、これ以外のメモリ領域では、全て“０”の検出位置情報が格納されていることになる。
【００６８】
図６は図４におけるメモリ部９ｅの一具体例を示す構成図であって、９ｅ1，９ｅ2，９ｅ3，……はメモリ領域、９ｅaは「アドレス」欄、９ｅbは「関数」欄である。
【００６９】
同図において、メモリ部９ｅは、図５におけるメモリ部９ｄのメモリ領域９ｄ1，９ｄ2，９ｄ3，……，９ｄnに夫々該当するメモリ領域９ｅ1，９ｅ2，９ｅ3，……，９ｅn（図示せず）が設定されており、これらメモリ領域９ｅ1，９ｅ2，９ｅ3，……，９ｅnには夫々、「アドレス」欄９ｅaと「関数」欄９ｅbとが設けられている。
【００７０】
ここで、メモリ領域９ｅx（但し、ｘ＝１，２，３，……，ｎ）の「アドレス」欄９ｅaには、このメモリ領域９ｅxに該当するメモリ部９ｄのメモリ領域９ｄxのアドレスＤx2が割り当てられており、これにより、メモリ部９ｄのメモリ領域９ｄxとメモリ領域９ｅのメモリ領域９ｅxとが一対一に対応付けられている。
【００７１】
また、メモリ領域９ｄxの「関数」欄９ｅbには、表示装置７（図１）で表示すべき現在の状況情報画面を作成するための関数（プログラム）が格納されている。例えば、メモリ領域９ｅ1の「関数」欄９ｅbには、未測定の検体の現在の状況情報画面のための、未測定の検体一覧表示関数が格納され、メモリ領域９ｅ2の「関数」欄９ｅbには、試薬の現在の状況情報画面のための、試薬一覧表示関数が格納され、メモリ領域９ｅ3の「関数」欄９ｅbには、測定済みの検体の現在の状況情報画面のための、測定済み検体一覧表示関数が格納されており、以下、夫々のメモリ領域９ｅxの「関数」欄９ｅbに該当する現在の状況情報画面のための関数が格納されている。
【００７２】
そして、図５に示すメモリ部９ｄのいずれかのメモリ領域９ｄxでこれに格納されている検出位置情報が“１”であるときには、図６に示すメモリ部９ｅの該当する（メモリ領域９ｄxと同じアドレスＤx2が設定されている）メモリ領域９ｅxでの「関数」欄９ｅbでの関数が読み出され、演算部９ｃ（図４）に供給される。そこで、例えば、メモリ部９ｄのいずれかのメモリ領域９ｄ1で“１”の検出位置情報が格納されたとすると、制御部９ａは、メモリ領域９ｄ1での検出位置情報が“１”であることを検出することにより、このメモリ領域９ｄ1と同じアドレスＤ12が設定されているメモリ部９ｅのメモリ領域９ｅ1の「関数」欄９ｅbから未測定の検体一覧表示関数を読み取り、演算部９ｃに供給する。なお、これとともに、この関数の処理対象となる未測定の検体に関する現在の状況に応じた検査情報をデータベース９ｆ（図４）から読み取り、演算部９ｃに供給する。これにより、演算部９ｃでは、この未測定の検体一覧表示関数による演算処理が行なわれ、未測定の検体の一覧表示のための現在の状況情報画面が作成される。この作成された未測定の検体の一覧表示のための現在の状況情報画面は、通信部９ｂ（図４）から表示装置７に送信される。
【００７３】
メモリ部９ｄの他のメモリ領域９ｄxで検出位置情報が“１”となった場合も同様であり、例えば、メモリ部９ｅのメモリ領域９ｅ2の「関数」欄９ｅbから試薬一覧表示関数が読み取られることによって、演算部９ｃで試薬一覧表示のための現在の状況情報画面が作成され、また、メモリ部９ｅのメモリ領域９ｅ3の「関数」欄９ｅbから測定済み検体一覧表示関数が読み取られることによって、演算部９ｃで、データベース９ｆから読み取った対応する検査情報を用いて、測定済み検体一覧表示のための現在の状況情報画面が作成され、夫々表示装置７に供給される。
【００７４】
図７は図４での制御部９ａによる以上の関数の読み取り処理の一具体例を示すフローチャートである。
【００７５】
同図において、制御部９ａは、まず、図５のメモリ部９ｄに対し、アドレスＤx2を初期アドレスＤ12に設定する（ステップＳ１００）。そして、この設定されたアドレスＤx2が設定可能な最大のアドレスＤn2を超える場合には（ステップＳ１０１の“Ｙｅｓ”）、処理を終了するが（ステップＳ１０５ａ）、最大のアドレスＤn2を超えない場合には（ステップＳ１０１の“Ｎｏ”）、このアドレスＤx2が割り当てられているメモリ領域９ｄxに格納されている検出位置情報が“１”か“０”かを判定する（ステップＳ１０２）。この検出位置情報が“１”であるときには（ステップＳ１０２の“Ｙｅｓ”）、図６のメモリ部９ｅのこのアドレスＤx2が割り当てられているメモリ領域９ｅxからそこに格納されている関数を読み取り、演算部９ｃ（図４）に供給して（ステップＳ１０３）、処理を終了する（ステップＳ１０５ｂ）。この検出位置情報が“０”であるときには（ステップＳ１０２の“Ｎｏ”）、アドレスＤx2を値「１」だけインクリメントし（ステップＳ１０４）、新たに設定されたアドレスＤx2について、ステップＳ１０１からの処理を行なう。
【００７６】
ここで、必ず図５におけるメモリ部９ｄのいずれか１つのアドレスＤx2（即ち、メモリ領域９ｄx）でそこに格納されている検出位置情報は“１”であるから、最大のアドレスＤn2を超える前に（ステップＳ１０１）、そのアドレスＤX2が必ず検出されることになり（ステップＳ１０２の“Ｙｅｓ”）、これにより、必ずメモリ部９ｅに格納されているいずれかの関数が読み出されることになる。そして、このように読み出された関数により、演算部９ｃにおいて、表示装置７の現在の位置に該当する現在の状況情報画面が作成され、この表示装置７に提供されることになる。
【００７７】
なお、ステップＳ１０５ａ，Ｓ１０５ｂの処理の終了は、ステップＳ１００で初期設定されてからの一連の処理の終了を意味するものであり、これらステップＳ１０５ａ，Ｓ１０５ｂの処理がなされると、自動的に再びステップＳ１００からの処理動作が開始する。
【００７８】
ところで、この実施形態では、必ず図５におけるメモリ部９ｄのいずれか１つのアドレスＤx2（即ち、メモリ領域９ｄx）でそこに格納されている検出位置情報は“１”であるから、このような状態では、ステップＳ１０１では、ステップＳ１０５ａの終了処理へ進む判定がなされることはない。従って、この場合には、ステップＳ１０１の判定処理やステップＳ１０５ａの終了処理は実行されることのない不要となるものとなる。
【００７９】
しかしながら、例えば、図５において、アドレスＤ12，Ｄ22のメモリ領域９ｄ1，９ｄ2での検出位置情報が“０”で、アドレスＤ32のメモリ領域９ｄ3での検出位置情報が“１”であり、かかる状態で制御部９ａがメモリ領域９ｄ1に続いてメモリ領域９ｄ2を指定したとき、表示装置７の移動により、アドレスＤ12のメモリ領域９ｄ1の検出位置情報が“０”から“１”に変更されると、アドレスＤ32のメモリ領域９ｄ3での検出位置情報は“１”から“０”に変更されることになる。
【００８０】
そこで、そのまま図７に示す動作を続けると、アドレスＤ22のメモリ領域９ｄ2以降のメモリ領域では、全て検出位置情報が“０”であるため、検出位置情報が“１”のアドレスＤx2は最後のアドレスＤn2まで検出できないことになる。
【００８１】
このような場合も想定して、最後のアドレスＤn2までアドレスＤx2を指定しても、検出位置情報が“１”のアドレスＤx2を検出できない場合には、また、最初のアドレスＤ12から処理を行なうことができるようにしているものである。
【００８２】
なお、この第１の実施形態では、自動分析装置の本体装置２が、図１に示すように、検体挿入部３と２台の分析部４ａ，４ｂと検体排出部５とからなるものとしたが、これに限るものではなく、分析部を１台使用するものであっても、また、３台以上使用するものであってもよい。また、検体挿入部３と分析部４と検体排出部５とからなる装置本体を複数個用いたものであってもよい。但し、この場合には、これら装置本体毎に別々に、図１に示すように、レール８や表示装置７を設け、これを一台の制御装置９で、上記のように、夫々の表示装置７の表示制御を行なうようにしてもよい。そして、この場合には、制御装置９において、装置本体毎に図４〜図６に示すようなメモリ部９ｄ，９ｅを設け、これらのメモリ部９ｄをまとめて、また、これらのメモリ部９ｅをまとめて図７に示す一連の処理動作を行なわせるようにすることもできる。
【００８３】
また、この第１の実施形態では、図１において、表示装置７には、操作のためのメカニカルなボタンあるいは表示画面でのタッチポタンからなる操作ボタンが設けられており、かかる操作ボタンの操作により、この表示画面にメニュー画面が、例えば、このとき表示されている現在の状況情報画面の一部に重なって表示される。このメニュー画面では、試薬などの消耗品や検体の現在の状況情報画面を選択する状況選択ボタンや分析の開始を指示する分析開始ボタン、装置本体２の各機構部（即ち、検体挿入部や分析部４ａ，４ｂ、検体排出部５など）の調整を行なうための調整ボタン、現在表示されている画面に表示を固定するための表示固定ボタンなどが表示されている。
【００８４】
そこで、かかるメニュー画面で状況選択ボタンが操作されると、現在表示されている現在の状況情報画面以外の現在の状況情報画面を選択表示可能な選択画面が表示され、この選択画面で所望の現在の状況情報画面の選択操作がなされると、表示装置７から選択情報が制御装置９に供給される。制御装置９では、夫々の選択情報のこれに該当するアドレスＤx2への変換テーブルが設定されており、これによって受信した選択情報に該当するアドレスＤx2が指定されてメモリ部９ｅｂから該当する関数が、また、データベース９ｆから必要な現在の状況を表わす検査情報が夫々読み出され、演算部９ｃ（図４）で選択操作に該当する所望の現在の状況情報画面が作成されて表示装置７で表示された状態となる。例えば、表示装置７が矢印Ａで示す位置にあって、現在の未測定の検体の状況情報画面が表示されている状態で操作ボタンが操作されると、メニュー画面が表示され、このメニュー画面で状況選択ボタンが操作されることにより、測定済みの検体の現在の状況情報画面や試薬の現在の状況情報画面の表示に切り替えることができる。但し、このように、表示装置７に現在位置（例えば、矢印Ａで示す位置）で自動的に表示される上記の状況情報画面以外の状況情報画面が表示されている状態で、この表示装置７を他の位置（例えば、矢印Ｂで示す位置）に移動させると、その移動した位置で自動的に表示される状況情報画面（この場合、試薬に関する現在の状況情報画面）に表示が自動的に切り替えられる。
【００８５】
また、検体挿入部３での検体の挿入作業を終了し、操作ボタンを操作してメニュー画面を表示させ、このメニュー画面での分析開始ボタンが操作されると、この検体挿入部３に挿入された検体について、分析部４ａや分析部４ｂで分析処理が開始される。これとともに、制御装置９が、上記のようにして、表示装置７のこのときの現在位置に該当する現在の状況情報画面を作成し、表示装置７では、この現在の状況情報画面が表示される。
【００８６】
また、メニュー画面で調整ボタンが操作されると、表示装置７の現在位置での機構部の調整項目を表わす調整選択画面が表示され、そのうちのいずれかの調整項目を選択することにより、その機構部での選択された調整項目について調整できる調整操作画面が表示される。制御装置９には、上記の現在の状況情報画面の場合と同様、表示装置７の夫々の位置に応じた調整操作画面が設定されており、表示装置７の現在位置に応じた調整操作画面が選択されて表示装置７に供給される。そこで、かかる表示状態で表示装置７を他の機構部の位置まで移動させると、これに応じて制御装置９で選択される調整操作画面が切り替わり、この機構部に対する調整操作画面の表示に切り替わってこの機構部での調整が可能となる。また、かかる調整選択画面あるいは調整操作画面には、「終了」ボタンが設けられており、この「終了」ボタンが操作されると、表示装置７のこの現在位置での現在の状況情報画面の表示に切り替わる。
【００８７】
また、メニュー画面で表示固定ボタンが操作されると、この表示固定ボタンが操作されている限り（例えば、タッチされている限り）、表示装置７を移動させてその現在位置が変化しても、画面の切り替えは行なわれず、同じ現在の状況情報画面がそのまま表示され続ける。この表示固定ボタンの操作を解除すると、表示装置７の実際の現在位置の現在の状況情報画面の表示に切り替わる。
【００８８】
なお、以上のメニュー画面の選択操作による現在の状況情報画面の切り替え機能や分析の開始指示機能，機構部の調整機能，表示固定機能は、後述する他の実施形態においても、同様に、設けられている。
【００８９】
以上のように、この第１の実施形態では、常に表示装置７を検体の分析のための作業する使用者の身近に置くことができ、しかも、使用者の作業に必要な自動分析装置の現在の状況情報画面を、この表示装置７に対して、画面切替などの操作をすることなく、自動的に表示させることができる。
【００９０】
なお、表示装置７では、機械的な操作ボタンや画面状で表示されるタッチボタンなども設けられており、これを操作することにより、表示される画面の切り替えを行なうこともできる。
【００９１】
図８は本発明による自動分析装置の第２の実施形態を示す要部構成図であって、１６は支軸、１７はアーム、１７ａは支点、１８は回転検出センサであり、図１に対応する部分には同一符号を付けて重複する説明を省略する。なお、第１の実施形態と同様、制御装置９なども備えているが、ここでは、省略している。
【００９２】
この第２の実施形態は、自動分析装置は中型であって、これに大型の表示装置を用いるようにしたものである。
【００９３】
同図において、自動分析装置１の装置本体２の所定の位置（例えば、装置本体２の裏面側）に、支軸１６が垂直に、かつ回転可能に取り付けられており、この支軸１６の先端部に水平方向（装置本体２の上面に平行）にアーム１７の一方の端部が固定されている。このアーム１７の他方の端部に、表示装置７が固定して取り付けられている。このアーム１７は、装置本体２の上面よりも上側に配置される。
【００９４】
このアーム１７を使用者が操作することにより、支軸１６が回転し、これに伴ってアーム１７が、支軸１６への取付け端部を支点１７ａとして、回転することになり（使用者のかかる操作を、以下、アーム１７の回転操作ということにする）、これにより、表示装置７の表示画面１２の向きを変えることができる。そこで、使用者がアーム１７を回転操作することにより、作業する場所の方向にこの表示装置７の表示画面１２が向くようにすることができる。
【００９５】
支軸１６には、その下端部側に、この支軸１６の回転量と回転方向とを検出する回転検出センサ１８が設けられている。かかる回転検出センサ１８としては、例えば、ロータリエンコーダが用いられる。かかる回転検出センサ１８は、支軸１６が微小な所定の回転角だけ回転する毎にパルスを発生し、このパルス数を積算することにより、支軸の回転量を検出するとともに、回転方向も検出する。これにより、回転検出センサによって検出されるアーム１７の回転位置（例えば、表示装置７の表示画面１２が装置本体２の上面の辺に平行となっているときのアーム１７の角度を基準角度として、基準角度に対する角度）が回転検出センサ１８によって検出されることになり、このアーム１７の回転位置と表示装置７の表示画面の向きとが対応付けられる。作業場所が表示装置７から離れる程、この表示装置７の表示画面１２が作業する使用者に正面に向くようにするために、アーム１７の回転位置は大きくなる。
【００９６】
ところで、先の第１の実施形態では、図３（ｄ）で説明したように、位置検出センサ１５の配設方向を複数の領域Ｐに区分し、夫々の領域Ｐ毎に夫々に適した現在の状況情報画面を表示装置７で切り替え表示するようにしたが、この第２の実施形態では、アーム１７の回転可能な範囲を、使用者の作業する場所の個数に応じて区分し、夫々の区分毎に、第１の実施形態と同様、表示装置７で表示する現在の状況情報画面を割り当てる。従って、この第２の実施形態でも、制御装置９の構成は図４に示される構成と同様であるが、メモリ部９ｄでの図５に示すメモリ領域９ｄ1，９ｄ2，９ｄ3，……，９ｄnは回転検出センサ１８で検出される支軸１６の回転量の区分された領域に割り当てられるものであり、メモリ部９ｅ，データベース９ｆは第１の実施形態と同様とすることができる。
【００９７】
このようにして、この第２の実施形態では、使用者の作業場所が装置本体２のいずれの場所であっても、表示装置７の表示画面をこの使用者の正面に向けることができ、しかも、この作業場所で作業に必要な現在の状況情報画面が、検査者の操作を必要とすることなく、表示装置７で表示されることになる。
【００９８】
なお、センサを設けることにより、アーム１７を伸縮または屈折できる構成とし、支軸１６と表示装置７との間の距離を可変にできるようにしてもよい。
【００９９】
また、この第２の実施形態においても、先の第１の実施形態と同様、上記のメニュー画面の選択操作による現在の状況情報画面の切り替え機能や分析の開始指示機能，機構部の調整機能，表示固定機能を有している。但し、この第２の実施形態は、表示装置７の現在位置がアーム１７の回転や伸縮、屈折等によって表わされる。
【０１００】
図９は本発明による自動分析装置の第３の実施形態を示す要部構成図であって、１９はＲＦＩＤリーダ、２０はＩＣタグであり、図１に対応する部分には同一符号を付けて重複する説明を省略する。
【０１０１】
この第３の実施形態は、使用者が持ち運びできる程度の小型，軽量の表示装置を用いるようにしたものである。
【０１０２】
同図において、表示装置７は、使用者が持ち運び可能な小型の表示装置であって、これには、ＩＣタグを無線で読み取るための接触式もしくは非接触式のＲＦＩＤリーダ１９が設けられている。また、この表示装置７は、制御装置９と無線もしくは有線で通信可能である。
【０１０３】
一方、自動分析装置１の装置本体２には、その上面の前面部側辺部に沿う所定の位置毎に複数の非接触式のＩＣタグ２０が設けられており、夫々のＩＣタグ２０には、それが設けられている位置に応じた個別のＩＤが割り当てられている。ここで、ＩＣタグ２０が設置されている場所は使用者が作業をする場所であって、使用者がこの表示装置７を持って作業する場所に移動したときには、その場所に設置されているＩＣタグに表示装置７を近づけることにより、このＩＣタグからＲＦＩＤリーダ１９によってそのＩＤを読み取ることができる。
【０１０４】
ＲＦＩＤリーダ１９によって読み取られたＩＤは、無線もしくは有線で制御装置９に送信される。制御装置９は、図４〜図６に示す制御装置９と同様の構成をなして、この第３の実施形態での図５に示す構成のメモリ部９ｄでは、そのメモリ領域９ｄ1，９ｄ2，９ｄ3，……が各ＩＣタグ２０のＩＤと対応付けられ、表示装置７のＲＦＩＤリータ１９がいずれかのＩＣタグ２０にＩＤを読み取ると、このＩＤに該当するメモリ領域９ｄxでフラグが“１”となる。これ以外のメモリ領域９ｄxのフラグは“０”である。この第３の実施形態での図６に示す構成のメモリ部９ｅは第１の実施形態でのメモリ部９ｅと同様であり、図５に示すメモリ部９ｄでのフラグが“１”であるアドレスＤx2に該当する図６に示すメモリ部９ｅでのメモリ領域９ｅｘから関数が読み出されて演算部９ｃ（図４）に供給される。
【０１０５】
このように、この第３の実施形態では、表示装置７のＲＦＩＤリーダ１９がＩＤを読み取ったＩＣタグ２０の設置位置、従って、使用者が作業する表示装置７の現在位置に応じた現在の状況情報画面が作成されて、無線もしくは有線で表示装置７に送信される。これにより、表示装置では、この現在の状況情報画面が受信されて表示される。従って、この第３の実施形態においても、先の実施形態と同様の効果が得られることになる。
【０１０６】
なお、この第３の実施形態においても、先の第１の実施形態と同様、上記のメニュー画面の選択操作による現在の状況情報画面の切り替え機能や分析の開始指示機能，機構部の調整機能，表示固定機能を有している。
【０１０７】
図１０は本発明による自動分析装置の第４の実施形態を示す要部構成図であって、２１は赤外線センサ、２２は通信線路であり、図１に対応する部分には同一符号を付けて重複する説明を省略する。
【０１０８】
この第４の実施形態は、使用者の位置に応じて、表示装置に表示される画面が切り替えられるようにしたものである。
【０１０９】
同図において、自動分析装置１の装置本体２の使用者が居る側の前面に、この前面の上辺に平行に複数の赤外線センサ２１の列が設けられている。かかる赤外線センサ２１は、検体挿入部３、分析部４ａ，４ｂ、検体排出部５毎にその幅の大きさに応じた個数ずつ設けられており、いずれの赤外線センサ２１で使用者が検出されるかに応じて、使用者が検体挿入部３、分析部４ａ，４ｂ、検体排出部５のいずれで作業しているかを検出することができる。
【０１１０】
なお、赤外線センサ２１は、常にそのいずれか１つが使用者を検出するように、所定の間隔で配置されており、かつ図３（ｄ）で示す検出位置センサの場合と同様、使用者が同じ作業をするときの領域毎に区分されている。図１０では、分析部４ａ，４ｂ毎に３個ずつ赤外線センサ２１が設けられているものとしている。なお、検体挿入部３，検体排出部５においても、図示しないが、所定個数の赤外線センサ２１が設けられており、これにより、検体挿入部３や検体排出部５で作業している使用者を検出する。
【０１１１】
また、装置本体２と制御装置９との間には、通信線路２２が設けられており、この通信線路２２を介して、装置本体２から制御装置９に検査情報が供給され、また、制御装置９から表示装置７に現在の状況情報画面が供給される。
【０１１２】
表示装置７としては、図１に示すように、レール８上を移動できるようにしてもよいし（但し、図３での表示装置７の位置検出センサ１５は設けられていない）、図８に示すように、表示装置７の回転によって表示画面１２の向きを変えることができるようにしてもよいし、また、図９に示すように、持ち運び可能な表示装置であってもよい。夫々の場合の制御装置９から表示装置７への現在の状況情報画面の供給手段としては、先の実施形態と同様である。
【０１１３】
かかる構成の第４の実施形態においては、赤外線センサ２１が、上記のように、使用者の作業位置に応じて、先の実施形態と同様にして、表示装置７で表示する画面を切り替えるものであるが、さらに、赤外線センサ２１で検出される使用者の現在の作業位置と表示装置７の現在の位置との間の距離に応じて、表示装置７で表示される文字のサイズを変化させることができるようにしている。ここで、制御装置９には、図６に示すメモリ部９ｅと同様な、表示装置７からの距離に応じたこの表示装置７での表示文字サイズを決める関数（プログラム）のテーブルを有するメモリ部が設けられている。
【０１１４】
なお、表示装置７の現在位置は、レール上を移動させる場合には、第１の実施形態のように、位置検出センサをレールに設けることにより、検出することができるし、図８に示すように、表示装置７の向きを変化させるものであるときには、ロータリエンコーダ１８で検出される回転角によって表示装置７の位置を検出することができるし、また、表示装置７が持ち運び可能である場合には、図９に示すようにして求めることができる。
【０１１５】
図１１はこの第４の実施形態での表示装置７と使用者との間の距離に応じた表示装置７で表示される文字サイズの変更処理の一具体例を示すフローチャートである。
【０１１６】
同図において、制御装置９は、表示装置７の現在位置を検出するとともに、いずれかの赤外線センサ２１による使用者の検出出力から、この使用者の現在位置を検出し、これらの位置の差から表示装置７から使用者までの距離を求める（ステップＳ２００）。この距離は、赤外線センサ２１の位置毎に決められるものである。このように、距離が求まると、上記のメモリ部の表示文字サイズの関数のテーブルからこの距離に応じた現在の状況情報画面を作成するための関数とこの現在の状況情報画面での文字サイズを決定するための関数とを選択して読み出し、これらの関数により、表示装置７で表示する現在の状況情報画面を作成するとともに、その画面での文字サイズを決定する（ステップＳ２０１）。
【０１１７】
なお、表示装置７では、上記の同じ領域の赤外線センサ２１が使用者を検出したときには（即ち、同じ領域内で使用者を検出する赤外線センサが変わっても）、第１の実施形態での位置検出センサ１５の場合と同様に、表示される現在の状況情報画面が変更されることはないが、この場合には、表示装置７と使用者との間の距離が変化したことになるので、この現在の状況情報画面での文字サイズが変化する。
【０１１８】
このようにして、この第４の実施形態では、使用者の作業位置に応じて表示装置７で表示される現在の状況情報画面が切り替えられるとともに、表示装置７と使用者との間の距離に応じて表示装置７で表示される現在の状況情報画面での文字サイズを変更することができ、表示装置７では、常に現在の状況情報画面が使用者にとって見やすい状態で表示されることになる。
【０１１９】
なお、この第４の実施形態においても、先の第１の実施形態と同様、上記のメニュー画面の選択操作による現在の状況情報画面の切り替え機能や分析の開始指示機能，機構部の調整機能，表示固定機能を有している。
【０１２０】
なお、以上の説明では、表示装置７の現在位置や使用者の現在位置に応じて、表示装置７に表示される現在の状況情報画面が自動的にこの現在位置に該当する現在の状況情報画面に切り替わるものであったが、先に説明したように、表示装置に設けられる機械的な操作ボタン、あるいはその表示画面に表示されるタッチボタンの操作により、使用者が現在希望する現在の状況情報画面や他の画面の表示に切り替えることもできる。
【０１２１】
また、現在の状況情報画面の自動切り替えを無効にするボタンを設け、このボタンが操作される間、かかる画面の自動切り替えが行なわれず、その操作直前に表示されていた現在の状況情報画面がそのまま表示され続けるようにすることもできる。なお、この場合、自動分析装置での現在の状況が変化すると、これに応じて、表示されている現在の状況情報画面の内容も変化する。
【産業上の利用可能性】
【０１２２】
本発明は、自動分析装置のさまざまな現在の状況や操作画面を装置する方式として有用であり、使用者の作業ミスを低減し、作業負荷を減らすことができるものであって、自動分析装置に利用される可能性が高い。
【符号の説明】
【０１２３】
１  自動分析装置
２  装置本体
３  検体挿入部
４ａ，４ｂ  分析部
５  検体排出部
６ａ，６ｂ  試薬設定部
７  表示装置
７ａ  前面
７ｂ  背面
７ｃ  側面
７ｄ  底面
８  レール
８ａ，８ｂ  ガイド部
８ｃ  底部
９  制御装置
９ａ  制御部
９ｂ  通信部
９ｃ  演算部
９ｄ，９ｅ  メモリ部
９ｄ1，９ｄ2，９ｄ3，９ｅ1，９ｅ2，９ｅ3  メモリ領域
９ｅa  「アドレス」欄
９ｅb  「関数」欄
９ｆ  データベース
１０  通信／電源線路
１１  通信線路
１２  表示画面
１３  車輪
１４  端子部
１４ａ  電源端子部
１４ｂ  情報信号端子部
１５  位置検出センサ
１５ａ  発光部
１５ｂ  受光部
１６  支軸
１７  アーム
１７ａ  支点
１８  回転検出センサ
１９  ＲＦＩＤリーダ
２０  ＩＣタグ
２１  赤外線センサ
２２  通信線路
【図１】
2010223810.tif 000003
【図２】
2010223810.tif 000004
【図３】
2010223810.tif 000005
【図４】
2010223810.tif 000006
【図５】
2010223810.tif 000007
【図６】
2010223810.tif 000008
【図７】
2010223810.tif 000009
【図８】
2010223810.tif 000010
【図９】
2010223810.tif 000011
【図１０】
2010223810.tif 000012
【図１１】
2010223810.tif 000013